(57)【要約】【課題】  床束の高さの調整作業を容易に行うことができると共に、大引きを真っ直ぐ且つ安定に支持することができる床束を提供することを目的とする。【解決手段】  大引き２を支持する受け部材３と、該受け部材３から垂下するネジ棒４と、該ネジ棒４と互いに抜き差し自在に遊嵌し且つ上端に外側に向かって張り出す張出部１４を有する筒体５と、該筒体５を立設するベース部材６と、前記ネジ棒４と筒体５とを結合する結合手段８と、から構成され、前記結合手段８は、前記ネジ棒４に螺合するナット体８１と、該ナット体８１の外周に形成された逆ネジ部８２に下方から螺合し、下端に前記筒体５の張出部１４に係止する係止部８３を有する結合ナット体８４と、を備えていることを特徴とする床束。【選択図】      図１
2006077416.tif 000002
【特許請求の範囲】
【請求項１】
大引き（２）を支持する受け部材（３）と、該受け部材（３）から垂下するネジ棒（４）と、該ネジ棒（４）と互いに抜き差し自在に遊嵌し且つ上端に外側に向かって張り出す張出部（１４）を有する筒体（５）と、該筒体（５）を立設するベース部材（６）と、前記ネジ棒（４）と筒体（５）とを結合する結合手段（８）と、から構成され、前記結合手段（８）は、前記ネジ棒（４）に螺合するナット体（８１）と、該ナット体（８１）の外周に形成された逆ネジ部（８２）に下方から螺合し、下端に前記筒体（５）の張出部（１４）に係止する係止部（８３）を有する結合ナット体（８４）と、を備えていることを特徴とする床束。
【請求項２】
前記ベース部材（６）の中心部分には、下方に向かって突出する突出部（１１）が備えてあることを特徴とする請求項１記載の床束。
【請求項３】
前記ネジ棒（４）と筒体（５）との相互間に形成される隙間には、該隙間を埋めるための隙間埋め部材（７）が嵌挿してあることを特徴とする請求項１又は２記載の床束。
【請求項４】
前記隙間埋め部材（７）の上端には、前記筒体（５）の外周よりも外側に張り出している鍔部（１３）を備えていることを特徴とする請求項３記載の床束。
【請求項５】
前記筒体（５）の外周面には突起部（９）が複数設けてあることを特徴とする請求項１、２、３又は４記載の床束。
【発明の詳細な説明】
【技術分野】
【０００１】
本発明は、住宅などの木造建築において、床下の大引き等の下面を支えて、床を支持するのに用いる床束に関するものである。
【背景技術】
【０００２】
上記記載のような床束には、図４に示すように、大引き（図示省略）を受け止めるＬ字状の受け部材２１とベース部材２２とをターンバックル構造の支持棒部材２３で連結した構造のものが一般的に使用されている。この床束は、受け部材２１及びベース部材２２に立設した正逆の雄ネジ部２４ａ，２４ｂを、支持棒部材２３の両端に形成した正逆の雌ネジ部（図示省略）にそれぞれ螺合した状態で、大引きの下面角部に当接させて支持した受け部材２１に外方から釘等を打ち込んで大引きに固定する。そして、支持棒部材２３を回転させてベース部材２２の下面が木造建築物の基礎構造体（図示省略）、例えば束石やコンクリート基礎、ベタ基礎等の上に当接するように、受け部材２１とベース部材２２に至る長さ、即ち床束の高さを調整する。高さ調整後、各雄ネジ部２４ａ，２４ｂに螺合しておいたナット２５を支持棒部材２３に対して締めつけて床束の高さを固定することで、大引きの撓みを防いで床を水平に支持するものである。
【発明の開示】
【発明が解決しようとする課題】
【０００３】
しかしながら、上記構成の床束において床束の高さ調整を行う場合には、支持棒部材２３を回転させなければならず、調整量が大きい場合はその作業に非常に手間が掛かる上に、床下という非常に狭い空間内でその作業を行わなければならないため、作業が非常にしづらいという問題があった。また、木造建築物の基礎構造体に床束のベース部材２２を固定させるために接着剤を使用しているが、接着剤は基礎構造体に予め多めに塗り付けておき、その上にベース部材２２を載置させる順序になっているため、上記構成の床束では、支持棒部材２３の回転に連動してベース部材２２も回転するので、ベース部材２２の下面が基礎構造体に密接して回転が停止するまでのうちに、ベース部材２２の回転によって接着剤のほとんどが外部にはみ出してしまい、ベース部材２２を固定させるための接着力が不十分であるとうい問題があった。さらには、基礎構造体上をベース部材２２が回転する際に、基礎構造体の上面が必ずしも水平とは限らないため、ベース部材２２の回転軸が、ベース部材２２の中心ではなく、基礎構造体の上面に最初に接触した部分が回転軸になるため、床束が垂直に立設せず床束の強度が落ちて、大引きの撓みを確実に防止できないという問題があった。
【０００４】
そこで本発明は、上記事情に基づいてなされたものであり、床束の高さの調整作業を容易に行うことができると共に、大引きを真っ直ぐ且つ安定に支持することができる床束を提供することを目的とする。
【課題を解決するための手段】
【０００５】
上記目的を達成するために、本発明のうち請求項１記載の発明は、大引きを支持する受け部材と、該受け部材から垂下するネジ棒と、該ネジ棒と互いに抜き差し自在に遊嵌し且つ上端に外側に向かって張り出す張出部を有する筒体と、該筒体を立設するベース部材と、前記ネジ棒と筒体とを結合する結合手段と、から構成され、前記結合手段は、前記ネジ棒に螺合するナット体と、該ナット体の外周に形成された逆ネジ部に下方から螺合し、下端に前記筒体の張出部に係止する係止部を有する結合ナット体と、を備えていることを特徴とする。
【０００６】
ここで、筒体とは、必ずしも円筒形状に限定されるものではなく、ネジ棒を抜き差し自在に遊嵌することが可能な形状のものを全て含める概念であり、また、低コスト化を図るためにも、筒体の肉厚は薄く形成することが望ましい。ナット体の外周に形成された逆ネジ部とは、ネジ棒に形成した雄ネジの向きと逆向きの雄ネジを形成している部分のことである。各部の材質に関しては、各部を全て同じ材質にしてもよいし、一部を異ならせてもよく、大引きを支持することができる強度を保有しているものであれば、特に限定するものではない。
【０００７】
請求項２記載の発明は、ベース部材の中心部分に、下方に向かって突出する突出部が備えてあることを特徴とする。
【０００８】
請求項３記載の発明は、ネジ棒と筒体との相互間に形成される隙間に、該隙間を埋めるための隙間埋め部材が嵌挿してあることを特徴とする。ここで、隙間埋め部材については、筒体の内部に嵌挿することが可能な形態であれば、特に限定しないが、筒体と同形状のパイプ状体にすることが望ましい。
【０００９】
ここで、前記張出部は筒体に備えてもよいが、請求項４記載の発明のように、隙間埋め部材の上端に、前記筒体の外周よりも外側に張り出す鍔部を備えてもよい。このようにすれば、鍔部で結合ナット体の係止部を係止させることが可能となり、鍔部が前記張出部と同等の機能を果たすことから、その結果、筒体の上端には必ずしも張出部を備える必要はない。
【００１０】
請求項５記載の発明は、筒体の外周面には突起部が複数設けてあることを特徴とする。ここで、突起部の形態については、筒体の補強及び滑り止めを兼ね備える形態であれば特に限定するものではないが、筒体の形成方法及びコスト面から、筒体の上下方向に備える一本の突起片にすることが望ましく、その突起片を筒体の周方向に間隔を設けて備えることが望ましい。
【発明の効果】
【００１１】
本発明のうち請求項１記載の発明によれば、ネジ棒と筒体とが互いに抜き差し自在に遊嵌することから、受け部材を大引きに固定して、ベース部材を木造建築物の基礎構造体上に載置する場合、筒体を基礎構造体に落下させるのみでよく、従来のように支持棒部材を回転させる必要がないため、作業が非常に簡便となる。また、床束の高さを調整する場合には、大引きの高さが希望の高さよりも低い場合は、ネジ棒に螺合するナット体を回転させて筒体の上面に当接させ、さらにナット体を回転させることで、ネジ軸が上下に移動して大引きを希望の高さまで上昇させ、ナット体に結合ナット体を螺合することで、ナット体が回転することを規制すると共に、ナット体が緩むことを確実に防止して、大引きを真っ直ぐ且つ安定に支持することができる。それとは反対に、大引きの高さが希望の高さよりも高い場合は、ナット体を回転させて筒体の上面に当接させた後、ナット体に結合ナット体を螺合し、さらに結合ナット体を締め付けることにより、ナット体の下面と筒体の上面との相互間に隙間を形成し、大引きを下方に引っ張って希望の高さまで下降させ、大引きを真っ直ぐ且つ安定に支持することができる。このように、ナット体と結合ナット体を回転させてネジ棒と筒体を結合させると同時に、床束の高さ調整をも容易に行うことが可能となり、作業が非常に容易となり、その結果、床下の狭い空間内での作業効率を飛躍的に向上させることができる。
【００１２】
本発明のうち請求項２記載の発明によれば、筒体を基礎構造体上に落下させた際に、予め接着剤が塗られた基礎構造体上に、ベース部材の下面全体が接触するのではなく、突出部の下面のみが接触するため、それ以外の部分、即ち、ベース部材と基礎構造体との相互間に形成された隙間に接着材を十分に残すことが可能となり、床束を基礎構造体上に強固に固定することができる。また、基礎構造体上に接触する面積は、ベース部材の下面全体ではなく、突出部の下面のみと小さくなるため、必ずしも水平ではない基礎構造体の上面状態の影響を受けずに、床束を確実に真っ直ぐ垂直に立設させることができる。
【００１３】
本発明のうち請求項３記載の発明によれば、ネジ棒と筒体との相互間に形成される隙間に、隙間埋め部材を嵌挿することにより、筒体を落下させた際に、隙間埋め部材がガイドとなって、ネジ棒に沿って筒体を真っ直ぐに落下させることができるため、床束が斜めに設置されることを確実に防ぐことが可能となり、大引きをより一層安定に支持することができる。また、ネジ棒と筒体との相互間に形成される隙間を大きくすることができるので、筒体の肉厚を薄くしたまま外径を大きくすることが可能となるため、床束の安定化を図ることができると共に、見た目が良好となり、さらには、筒体を低コストで形成することができる。
【００１４】
本発明のうち請求項４記載の発明によれば、隙間埋め部材の上端に筒体の外周よりも外側に張り出した鍔部を備えることにより、鍔部が筒体の張出部と同等の機能を果たすことから、鍔部で結合ナット体の係止部を係止させることが可能となり、その結果、筒体の上端には必ずしも張出部を形成する必要がなくなる。
【００１５】
本発明のうち請求項５記載の発明によれば、筒体の外周面に突起部を設けることにより、筒体の強度を大きくすることが可能であると共に、筒体を手で押さえてナット体や結合ナット体を回転させる際に、突起部が滑り止めの役割を果たし、作業のし易さをより一層向上させることができる。
【発明を実施するための最良の形態】
【００１６】
以下、本発明の実施形態を図面に基づいて説明する。
【００１７】
本発明の床束は、図１に示すように、木造建築物の基礎構造体（例えば束石やコンクリート基礎、ベタ基礎等）１と大引き２との間に立設されて、大引き２の荷重を支持するものである。床束は、大引き２を支持する側面Ｌ字状の受け部材３と、受け部材３から垂下するネジ棒４と、ネジ棒４と互いに抜き差し自在に遊嵌する筒体５と、基礎構造体１上に載置され筒体５を立設するベース部材６と、ネジ棒４と筒体５との相互間に形成される隙間に嵌挿されるパイプ体７と、ネジ棒４と筒体５とを結合する結合手段８とから構成されている（第１実施形態）。
【００１８】
受け部材３は、板体をＬ字状に屈曲させたものであり、大引き２の底面と一側面とを受け支えるものである。ネジ棒４は、上端を受け部材３の略中心部分に溶接によって固着してある。筒体５は、低コスト化を図るためにも肉厚を薄くし、立設させた際に安定性が保たれるように外径を大きめにしてある。また、筒体５の強度を大きくするために、筒体の外周面に上下方向の突起片９を複数突出させることが望ましい。尚、この突起片９は、筒体５を持つ際の滑り止めの役割も果たしている。ベース部材６は板体であり、中心部には筒体５の内径と略同径の貫通穴１０が形成されており、その貫通穴１０と筒体５とが連通するように筒体５の下端部を溶接によって固着することで、筒体５をベース部材６上に立設させている。また、筒体５の下端部には、ベース部材６から下方に突出するように、突出部材１１が嵌挿されている。符号１２は、ベース部材６を基礎構造体１に固定するために形成された釘穴である。パイプ体７の上端には、筒体の外周よりも外側に張り出した鍔部１３が形成されており、その鍔部１３が筒体５の上端に係止するものである。
【００１９】
また、結合手段８は、図２に示すように、ネジ棒４に螺合するナット体８１と、ナット体８１の外周に形成された逆ネジ部８２に下方から螺合し、下端にパイプ体７の鍔部１３に係止する係止部８３を有する結合ナット体８４とから構成されている。ナット体８１は凸状をなしており、上方がナット部８５であり、下方は逆ネジ部８２となっている。ナット体８１の内面には、ネジ棒４と螺合する雌ネジ８６が形成されており、ナット部８５の外面には、ナット体８１の回転を素早く行えるようにネジ等を挿し込むための回転補助穴８７が形成されており、逆ネジ部８２の外面には、ネジ棒４とは逆方向の雄ネジ８８が形成されている。このナット体８１は、筒体５内に嵌挿したパイプ体７の鍔部１３の上面にナット体８１の下面が当接するものである。従って、ナット体８１はパイプ体７により、それ以上下方へは移動しないようになっている。これにより、ナット体８１を回転させると、これと螺合したネジ棒４が上下方向に移動し、床束の高さを調整することができる。
【００２０】
結合ナット体８４は、内面の上方側に雌ネジ８９が形成されており、ナット体８１の逆ネジ部８２と螺合する。また、結合ナット体８４の下端は、内側に向かって内径を小さくするように張り出した係止部８３が形成されている。この結合ナット体８４は、筒体５の外側、即ち筒体５を内挿する状態に備えられ、結合ナット体８４の係止部８３が筒体５内に嵌挿したパイプ体７の鍔部１３に下方から係止するまで、ナット体８１の逆ネジ部８２と螺合するものである。従って、ナット体８１が回転してしまうことを防いで、ネジ棒４と筒体５とが結合することになる。これにより、床束の高さが固定されると共に、結合ナット体８４を回転させると、その回転に連動してナット体８１が上方に移動し、ナット体８１の下面とパイプ体７の上面との相互間に隙間を形成し、床束の高さを低くすることができる。
【００２１】
次に、前記のように構成された床束の使用方法を説明する。
【００２２】
設置前の床束の状態は、ネジ棒４の上方位置に筒体５が結合手段８によって結合されている。まず、この床束の受け部材３を、大引き２の下面と一側面とに当接させて、釘止め等によって受け部材３を大引き２に固定する。次に、結合ナット体８４を回転させてナット体８１から外し、予め接着剤を付けておいた木造建築物の基礎構造体１へ筒体５と一緒に落下させる。この時、筒体５内に嵌挿したパイプ体７がガイド代わりとなり、筒体５がネジ棒４に沿って真っ直ぐに落下するので、床束が斜めに載置されることを確実に防止することができる。また、筒体５が基礎構造体１に落下した際には、基礎構造体１と接触する部分は、ベース部材６の下面全体ではなく、ベース部材６から下方に突出する突出部材１１の下面のみであるため、基礎構造体１とベース部材６との相互間に形成された隙間に接着剤を十分に残すことができるため、ベース部材６をより強固に基礎構造体１に固定させることができる。そして、次に、ナット体８１を回転させてパイプ体７の上面に当接させる。この際、大引き２の高さが希望高さよりも低い場合、例えば大引き２が撓んでいる等の場合は、更にナット体８１を回転させて、大引き２を希望の高さ位置まで上昇させる。この高さ調整後、結合ナット体８４をナット体８１の逆ネジ部８２に螺合させ、結合ナット体８４の係止部８３がパイプ体７の鍔部１３に係止するまで回転させることで、ナット体８１の回転が規制されて、大引き２を安定且つ真っ直ぐに支持することができる。逆に、大引き２の高さが希望高さよりも高い場合、例えば大引き２が反り返ってしまっている等の場合は、ナット体８１がパイプ体７に当接した時点でナット体８１の回転を止める。さらに、結合ナット体８４をナット体８１の逆ネジ部８２に螺合させ、結合ナット体８４の係止部８３がパイプ体７の鍔部１３に係止するまで回転させる。その後、さらに、結合ナット体８４を回転させて締め込むことにより、ナット体８１の下面とパイプ体７の上面との相互間に隙間が形成されて、大引き２を希望高さ位置まで下降させることができる。これにより、大引き２を安定且つ真っ直ぐに支持することができる。
尚、ナット体８１及び結合ナット体８４を回転させる場合には、筒体５の外周面に突起片９が設けてあるので、その突起片９が滑り止めの役割を果たし、筒体５を手で押さえ易くなると共に、ナット体８１等の回転をよりスムーズに行うことが可能となる。
【００２３】
このように、筒体５を落下させるだけで、ベース部材６を基礎構造体１に瞬時に載置させることが可能となり、従来のようなナット体８１を基礎構造体１まで回転させる必要がなく、また、床束の高さ調整を行う場合には、ナット体８１と結合ナット体８４を回転させるのみで容易に行うことが可能となり、大引き２の高さ調整作業が非常に簡便となり、その結果、床下という狭い空間内で行う作業の作業効率を向上させることができる。
【００２４】
図３は、本発明の第２実施形態を示すものであり、第１実施形態と相違するところは、ネジ棒４と筒体５との相互間に形成される隙間が小さいため、パイプ体７を筒体５内に嵌挿する必要がなく、省いている点である。この場合は、筒体５の上端に外側に向かって張り出した張出部１４を形成し、結合ナット体８４の係止部８３を係止させている。また、筒体５の下端をベース部材６に溶接によって固着した際に、筒体５の下端はベース部材６によって塞がれているので、ベース部材６から下方に向かって突出する突出部材１１は、筒体５の下端部に嵌め込ませる形態ではなく、ベース部材６の下面中心に固着するものである。
【００２５】
尚、本発明の床束は、第１及び第２実施形態に限定されるものではなく、筒体とネジ棒との相互間に嵌挿するパイプ体は、上端に必ずしも鍔部を形成する必要はなく、筒体内に完全に嵌挿させる形態にしてもよい。この場合、筒体の上端に張出部を形成しておく必要がある。
【図面の簡単な説明】
【００２６】
【図１】本発明の床束の第１実施形態の使用状態を示す半断面図である。
【図２】結合手段の分解状態を示す半断面図である。
【図３】本発明の床束の第２実施形態の使用状態を示す半断面図である。
【図４】従来の床束を示す斜視図である。
【符号の説明】
【００２７】
２  大引き
３  受け部材
４  ネジ棒
５  筒体
６  ベース部材
７  パイプ体（隙間埋め部材）
８  結合手段
９  突起片（突起部）
１１  突出部材（突出部）
１３  鍔部
１４  張出部
８１  ナット体
８２  逆ネジ部
８３  係止部
８４  結合ナット体
【図１】
2006077416.tif 000003
【図２】
2006077416.tif 000004
【図３】
2006077416.tif 000005
【図４】
2006077416.tif 000006